(57)【要約】【課題】刈草の収容容積を大きく確保しつつ、箱型コレクタをダンプ動作させて刈草を排出する際に、引っ掛かりを防止して能率良く排出することを可能とするトラクタ用モーアコレクタ装置を提供する。【解決手段】トラクタ用モーアコレクタ装置は、後輪３，３の後方の幅広の箱型コレクタ５とそのダンプ機構７とによって構成され、上記箱型コレクタ５は、その前壁部５ａに左右後輪３，３の間を通って刈草を導くための略トンネル状の導入部１１を備え、かつ、導入部１１を含む前壁部５ａを箱型コレクタ５と別体に構成してその全幅を開放可能に構成する。【選択図】　　　図１
2004141038.tif 000002
【特許請求の範囲】
【請求項１】
トラクタに装荷したミッドモーアから受けた刈草を後輪より後位置に収容し、同後輪幅に掛かる幅寸法に形成した箱型コレクタと、
この箱型コレクタを転動動作させて収容物を排出するダンプ機構とを備えるトラクタ用モーアコレクタ装置において、
上記箱型コレクタは、その前壁部に左右後輪の間を通って刈草を導くための略トンネル状の導入部を備え、かつ、
この導入部を含む前壁部を箱型コレクタと別体に構成してその全幅を開放可能に構成したことを特徴とするトラクタ用モーアコレクタ装置。
【請求項２】
前記箱型コレクタの底部には、その前側の導入部の底面に及ぶ延長底板を備えたことを特徴とする請求項１記載のトラクタ用モーアコレクタ装置。
【発明の詳細な説明】
【０００１】
【発明の属する技術分野】
本発明は、トラクタに装荷したミッドモーアから刈草を受けて機体後部に収容するトラクタ用モーアコレクタに関し、特に、刈草の収容容積を大きく確保しつつ、ダンプ動作によって刈草を排出する際の引っ掛かりを防止して能率良く排出することを可能とするトラクタ用モーアコレクタに関する。
【０００２】
【従来の技術】
トラクタに装荷したミッドモーアから刈草を受けて機体後部に収容するトラクタ用モーアコレクタが知られている（特許文献１、特許文献２等を参照）。コレクタは、後輪幅に掛かる（後輪幅に及ぶ、または、後輪幅を越える）幅寸法で機体後部に取付けられる幅広かご状の通気性箱型容器であり、収容容積を大きく確保するために、機体フレームに近接する位置まで左右の後輪の間に入り込むように配置した導入部を備え、この導入部とミッドモーアとの間を案内路で接続することにより、ミッドモーアからの送出気流とともに送り出される刈草を貯留する。また、コレクタは、備えたダンプ機構により転動され、開口部を下方転向させることにより、コレクタ内の刈草を一括排出することができる。
【特許文献１】特開２０００−５０７１５号公報
【特許文献２】特開平１０−５６８４４号公報
【０００３】
【発明が解決しようとする課題】
しかしながら、コレクタの導入部は、左右の後輪の間に入り込んで間口寸法が制限されることから、上記ダンプ機構によってコレクタを下方転向させても、狭い導入部が災いして刈草が詰まることがあり、排草に手間取るという問題がある。
【０００４】
本発明の目的は、刈草の収容容積を大きく確保しつつ、ダンプ動作によって刈草を排出する際の引っ掛かりを防止して能率良く排出することを可能とするトラクタ用モーアコレクタ装置を提供することにある。
【０００５】
【課題を解決するための手段】
上記課題を解決するために、請求項１に係る発明は、トラクタに装荷したミッドモーアから受けた刈草を後輪より後位置に収容し、同後輪幅に掛かる幅寸法に形成した箱型コレクタと、この箱型コレクタを転動動作させて収容物を排出するダンプ機構とを備えるトラクタ用モーアコレクタ装置において、上記箱型コレクタは、その前壁部に左右後輪の間を通って刈草を導くための略トンネル状の導入部を備え、かつ、この導入部を含む前壁部を箱型コレクタと別体に構成してその全幅を開放可能に構成したことを特徴とする。
【０００６】
上記箱型コレクタは、その前面部に備えたトンネル状の導入部を通してミッドモーアから刈草を受け、導入部と合わせて刈草を収容貯留する。貯留された刈草を箱型コレクタから排出する際は、ダンプ機構によって箱型コレクタを転動動作させると箱型コレクタが導入部から分離し、その全幅が開放された状態で転動され、内部の刈草が一括して排出される。
【０００７】
請求項２に係る発明は、前記箱型コレクタの底部には、その前側の導入部の底面に及ぶ延長底板を備えたことを特徴とする。
【０００８】
上記延長底板は、箱型コレクタの底部から導入部の底面に及ぶことから、箱型コレクタをダンプ動作させると導入部の底面まで含めて下方転向され、したがって、箱型コレクタとその導入部に収容された刈草が一括排出される。
【０００９】
【発明の効果】
本発明のトラクタ用モーアコレクタ装置は以下の効果を奏する。
上記構成のトラクタ用モーアコレクタ装置は、箱型コレクタの全幅を開放可能に構成し、ダンプ動作により内部の刈草が一括して排出されることから、幅広の箱型コレクタによって収容容量を確保できる上に、ダンプ動作させた際にも人手を煩わすことなく刈草を一括して能率良く排出することが可能となる。
【００１０】
上記延長底板により導入部に及ぶ範囲について刈草が一括排出されるようにした場合は、ダンプ後の次の草刈り稼動に際し刈草の送出路が確保され、残留刈草による滞留や詰まりを招くことなく、刈草は導入部からスムーズに箱型コレクタに送られる。
【００１１】
【発明の実施の形態】
上記技術思想に基づき具体的に構成された実施の形態について以下に図面を参照しつつ説明する。
【００１２】
本発明のトラクタ用モーアコレクタ装置の構成例の透視側面図を図１に、その平面図を図２に示す。図１および図２において、トラクタには、前輪（不図示）と後輪３、３の間に草刈り用のミッドモーア４を装荷し、後輪３、３より後位置に取付けた箱型のコレクタ（箱型コレクタ）５、そのダンプ機構７等により構成したモーアコレクタ装置を備える。
【００１３】
コレクタ５は、後輪幅に掛かる（左右後輪又はその一方の車輪幅内または幅外に及ぶ）幅寸法に形成された幅広かご状の通気性箱型容器である。コレクタ５の上部前端には支点６を形成して機体に軸支し、かつ、同コレクタ５を回動させるためのアーム８を突設し、その先端にシリンダ等によるダンプ機構７を連結する。このダンプ機構７により、アーム８を介してコレクタ５が下に開くように所定の角度範囲（図１の紙面で反時計方向に略９０°）で転動動作する。
【００１４】
コレクタ５の前壁部５ａには、機体フレーム９に近接する位置まで左右の後輪３，３の間に入り込むように配置した略トンネル状の導入部１１を設け、この導入部１１を含む前壁部５ａをその全幅で開放可能にコレクタ５と別体に構成する。導入部１１の底面は、コレクタ５の底面から延びる延長底板１２によって開放可能に構成する。導入部１１とミッドモーア４との間は案内路（シュータ）１３で接続する。
【００１５】
上記構成のモーアコレクタ装置は、コレクタ５の前側に備えたトンネル状の導入部１１を通してミッドモーア４から案内路１３を介してコレクタ５に刈草を受け、導入部１１と合わせて刈草を収容貯留する。貯留された刈草をコレクタ５から排出する場合は、ダンプ機構７によってコレクタ５をダンプ動作させる。このダンプ動作により、コレクタ５が別体の導入部１１から分離され、その前面の前壁部５ａの全幅が開放された状態で下方転向されるので、内部の刈草が一括して排出される。したがって、上記構成のトラクタ用モーアコレクタ装置は、幅広のコレクタ５によって収容容量を確保した上で、コレクタ５をダンプ動作させた際は、人手を煩わすことなく刈草を一括して能率良く排出することが可能となる。
【００１６】
また、延長底板１２がコレクタ５の底部から導入部１１の底面に及ぶことから、コレクタ５をダンプ動作させると導入部１１の底面まで含めて一体に下方転向される。すなわち、コレクタ５とその導入部１１に収容された刈草は、コレクタ５のダンプ動作により、導入部１１に及ぶ範囲の刈草が一括排出される。その上、幅の狭い案内路１３を短く構成できるので、残留刈草による滞留や詰まりを減少することができる。その結果、次の草刈り稼動に際し刈草の送出路が確保され、ミッドモーア４からの刈草を導入部１１からコレクタ５にスムーズに送り込み、効率良く集草することができる。したがって、コレクタ５の実質的な大容量化と集草効率の向上を図ることができる。
【００１７】
つぎに、ミッドモーア４について、図３の断面図により説明する。以下において、前記同様の部材はその符号を付すことによって説明を省略する。トラクタの前後輪間にリフト可能に装荷するミッドモーア４につき、ＰＴＯ２１からユニバーサルジョイント２３，２３を備える伝動軸２３ａを介して動力を受け、ベルト２４伝動によってブレード２５を回転駆動する場合に、ベベルギヤケース２７の主動プーリ２９をベベルギヤケース２７の外径より大きく形成してベベルギヤケース２７の外周部の比較的低い位置Ｂにベベルギヤケース２７とオーバラップさせてベルト２４を配置する。このように、ベルト２４の高さ位置をベベルギヤケース２７とオーバラップさせてベルトラインＢを下げ、ブレード部の全高Ｈを小さく構成することにより、ユニバーサルジョイント２３，２３の折れ角θが小さくできるので耐久性を向上するとともに、ミッドモーア４のリフト高さを大きく確保することができる。
【００１８】
ベベルギヤケースの別の構成例として、図４のミッドモーアの平面図、図５のベベルギヤケースの断面図（ａ）および斜視図（ｂ）に示すように、ベベルギヤケース３１のプーリ軸３３をブレード３５の作用範囲（ブレード部）に近接して配置する。ベベルギヤケース３１は、プーリ軸３３側のベベルギヤ３３ａの一部がブレード部と平面視で重なるように部分的に後退した形状に形成する。このようにしてベベルギヤケース３１と連結する伝動軸２３ａのユニバーサルジョイント２３，２３間の長さを大きくとることにより、軸線の折れ角度を小さくできるので、耐久性の向上を図ることができる。
【００１９】
ミッドモーアの内部構成については、図６の断面図（ａ）に示すように、モーアデッキ４１に近接して遊転羽根４３をブレード軸４５に軸支する。遊転羽根４３は、モーアデッキ４１の下面に沿う形状のフレーム４３ａと抵抗板４４とを備え、同図６（ｂ）（ｃ）の遊転羽根４３の要部拡大図とその斜視図のように、ブレード４５ａのボス４５ｂにブシュ４６を介して軸支し、ブレード４５ａの回転風力を抵抗板４４に受けて回転する。この遊転羽根４３により、消費動力を抑えつつ、内部に付着した刈草Ａを落とすことができる。特に、濡れ草の刈草作業に際して、雪だるま式に付着堆積する刈草による草詰まりを効果的に防止することができる。
【００２０】
つぎに、ハイダンプのコレクタ構造について説明する。図７のハイダンプコレクタを備えるトラクタの側面図に示すように、シュータ１３の下半部１３ａの一部をコレクタ５１の導入フレーム５３に取り付けて構成する。詳細には、図８の要部拡大図（ａ）とそのＡ矢視部分図（ｂ）に示すように、シュータ１３の下半部１３ａの底部を前後に分割して構成し、コレクタ５１側の分割底板５４を跳ね上げ式に支軸５４ａによって導入フレーム５３に支持するとともにその反転用のシリンダ（後述）を取り付ける。シュータ１３は、機体フレーム９に取付プレート１３ｄを介して取付け、支軸１３ｂにその下半部１３ａを可動支持し、モーア４のリフト動作と対応して下半部１３ａを追従させるようにスプリング１３ｃで付勢する。
【００２１】
コレクタ５１のダンプ機構は、ダンプ動作時の側面図を図９に、そのＡ−Ａ線断面図（ａ）およびＢ−Ｂ線断面図（ｂ）を図１０に示すように、機体フレーム９に取り付けたゲートフレーム５７から平行リンク５９を介してコレクタ５１のサポートフレーム６１を支持し、このサポートフレーム６１の前方に導入フレーム５３を配置してこの導入フレーム５３に分割底板５４を開閉するシリンダ６３を設ける。
【００２２】
コレクタ５１をダンプ動作させる場合は、平行リンク５９によってコレクタ５１を一定姿勢のまま振り出すように後退上昇させ、この時、シュータ１３から分離した分割底板５４を跳ね上げてコレクタ５１の前面を押さえることにより収容物を保持し、導入フレーム５３からコレクタ５１を開くように後方に転動させることによって収容物を一括排出することができる。ダンプ後の下降位置では分割底板５４を前方に開くことにより、シュータ１３の下半部１３ａの底面として機能する。
【００２３】
シュータの別の構成例として、図１１の側面図（ａ）とそのＡ−Ａ線断面図（ｂ）に示すように、シュータ１３は、支軸１３ｂにその下半部１３ａを可動支持し、モーア４のリフト動作に追従させるべくスプリング１３ｃで付勢する他に、下半部１３ａを開いた位置に保持してその追従動作を規制するストッパ７１を進退可能に設けて構成する。
【００２４】
このストッパ７１を進出させて下半部１３ａの追従動作を規制することにより、シュータ１３の下半部１３ａが開いた位置に保持されることから、メンテナンス等の後にモーア４を組み付ける際に、従来のように下半部１３ａを開くための押し下げ操作を要することなく、モーア４を移動してその排出口４ａをシュータ１３に組み付けることができる。
【図面の簡単な説明】
【図１】本発明のトラクタ用モーアコレクタ装置の構成例の透視側面図
【図２】図１のモーアコレクタ装置の平面図
【図３】ミッドモーアの断面図
【図４】ミッドモーアの平面図
【図５】ベベルギヤケースの断面図（ａ）とその斜視図（ｂ）
【図６】ミッドモーアの内部構成断面図（ａ）、遊転羽根の要部拡大図（ｂ）およびその斜視図（ｃ）
【図７】ハイダンプコレクタを備えるトラクタの側面図
【図８】要部拡大図（ａ）とそのＡ矢視部分図（ｂ）
【図９】ダンプ動作時の側面図
【図１０】図９のＡ−Ａ線断面図（ａ）、および同Ｂ−Ｂ線断面図（ｂ）
【図１１】シュータの別の構成例の側面図（ａ）とそのＡ−Ａ線断面図（ｂ）
【符号の説明】
３　後輪
４　ミッドモーア
５　箱型コレクタ（コレクタ）
５ａ　前壁部
６　支点
７　ダンプ機構
８　アーム
９　機体フレーム
１１　導入部
１２　延長底板
１３　シュータ（案内路）
２９　主動プーリ
３１　ベベルギヤケース
４３　遊転羽根
４３ａ　フレーム
４４　抵抗板
５４　分割底板
５４ａ　支軸
６３　シリンダ
７１　ストッパ
Ｂ　ベルトライン
Ｈ　全高
θ　角度
【図１】
2004141038.tif 000003
【図２】
2004141038.tif 000004
【図３】
2004141038.tif 000005
【図４】
2004141038.tif 000006
【図５】
2004141038.tif 000007
【図６】
2004141038.tif 000008
【図７】
2004141038.tif 000009
【図８】
2004141038.tif 000010
【図９】
2004141038.tif 000011
【図１０】
2004141038.tif 000012
【図１１】
2004141038.tif 000013